【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
式（Ｉ’）：
【化１】
2002249473.tif 000001
［式中、ＡはＣＯまたはＳＯ2であり；Ｒ1およびＲ2はそれぞれ独立に、ハロゲン原子、シアノ基、ニトロ基、置換されてもよいアルキル基、置換されてもよいアルケニル基、置換されてもよいアルキニル基、置換されてもよいシクロアルキル基、置換されてもよいシクロアルケニル基、置換されてもよいアリール基、置換されてもよい複素環基、置換されてもよいアミノ基または−Ｂ−Ｑ基（ＢはＯ、ＣＯ、ＣＯＯ、ＯＣＯ、Ｓ、ＳＯまたはＳＯ2であり；Ｑは水素原子、置換されてもよいアルキル基、置換されてもよいアルケニル基、置換されてもよいアルキニル基、置換されてもよいシクロアルキル基、置換されてもよいシクロアルケニル基、置換されてもよいアリール基、置換されてもよい複素環基または置換されてもよいアミノ基である）であり；Ｒ4は水素原子または置換されてもよいアルキル基であり；ｙは０〜４の整数であり；Ｈａｌはハロゲン原子であり；Ｃｙ’はフェニル基または６員単環式複素環基であり；ＭはＯ、Ｓ、ＮＲ6基（Ｒ6は水素原子または置換されてもよいアルキル基である）、−ＯＣＨ2−、−ＯＣＨ2ＣＨ2−、−ＣＨ2Ｏ−、−ＣＨ2ＣＨ2Ｏ−、−ＳＣＨ2−、−ＳＣＨ2ＣＨ2−、−ＣＨ2Ｓ−、−ＣＨ2ＣＨ2Ｓ−または単結合であり；Ｒ5'は置換されてもよいピリジル基または置換されてもよいアダマンチル基であり；ｘ'は０〜３の整数である；但し、ＡがＣＯであり、かつＲ5'が−（ＣＲaＲa）d−ＮＣＲbＲc基で置換されたアダマンチル基（Ｒaは水素原子またはアルキル基であり；Ｒbは水素原子、アルキル基またはアシル基であり、Ｒcは水素原子またはアルキル基であり、ｄは０〜３の整数である）である場合を除く］で表されるアニリン誘導体またはその塩を有効成分として含有するサイトカイン産生抑制剤。
【請求項２】
サイトカインがＴｈ１タイプサイトカインである請求項１記載のサイトカイン産生抑制剤。
【請求項３】
サイトカインがインターフェロンγである請求項１記載のサイトカイン産生抑制剤。
【請求項４】
サイトカインがＴｈ２タイプサイトカインである請求項１記載のサイトカイン産生抑制剤。
【請求項５】
サイトカインがインターロイキン５である請求項１記載のサイトカイン産生抑制剤。
【請求項６】
請求項１に記載の化合物またはその塩を有効成分として含有する免疫機能の異常亢進を伴う疾患に対する予防または治療薬。
【請求項７】
免疫機能の異常亢進を伴う疾患が、蕁麻疹、食物アレルギー、アナフィラキシーショック、好酸球増加症候群、喘息、アレルギー性鼻炎、アレルギー性結膜炎およびアトピー性皮膚炎から選ばれる少なくとも一種のアレルギー性疾患である請求項６記載の予防または治療薬。
【請求項８】
免疫機能の異常亢進を伴う疾患が、全身性自己免疫疾患である請求項６記載の予防または治療薬。
【請求項９】
免疫機能の異常亢進を伴う疾患が、慢性関節リウマチ、Ｉ型糖尿病、橋本甲状腺炎、重症筋無力症および多発性硬化症から選ばれる少なくとも一種の臓器特異的自己免疫疾患である請求項８記載の予防または治療薬。
【請求項１０】
式（Ｉ’）：
【化２】
2002249473.tif 000002
［式中、ＡはＣＯまたはＳＯ2であり；Ｒ1およびＲ2はそれぞれ独立に、ハロゲン原子、シアノ基、ニトロ基、置換されてもよいアルキル基、置換されてもよいアルケニル基、置換されてもよいアルキニル基、置換されてもよいシクロアルキル基、置換されてもよいシクロアルケニル基、置換されてもよいアリール基、置換されてもよい複素環基、置換されてもよいアミノ基または−Ｂ−Ｑ基（ＢはＯ、ＣＯ、ＣＯＯ、ＯＣＯ、Ｓ、ＳＯまたはＳＯ2であり；Ｑは水素原子、置換されてもよいアルキル基、置換されてもよいアルケニル基、置換されてもよいアルキニル基、置換されてもよいシクロアルキル基、置換されてもよいシクロアルケニル基、置換されてもよいアリール基、置換されてもよい複素環基または置換されてもよいアミノ基である）であり；Ｒ4は水素原子または置換されてもよいアルキル基であり；ｙは０〜４の整数であり；Ｈａｌはハロゲン原子であり；Ｃｙ’はフェニル基または６員単環式複素環基であり；ＭはＯ、Ｓ、ＮＲ6基（Ｒ6は水素原子または置換されてもよいアルキル基である）、−ＯＣＨ2−、−ＯＣＨ2ＣＨ2−、−ＣＨ2Ｏ−、−ＣＨ2ＣＨ2Ｏ−、−ＳＣＨ2−、−ＳＣＨ2ＣＨ2−、−ＣＨ2Ｓ−、−ＣＨ2ＣＨ2Ｓ−または単結合であり；Ｒ5'は置換されてもよいピリジル基または置換されてもよいアダマンチル基であり；ｘ'は０〜３の整数である；但し、ＡがＣＯであり、かつＲ5'が−（ＣＲaＲa）d−ＮＣＲbＲc基で置換されたアダマンチル基（Ｒaは水素原子またはアルキル基であり；Ｒbは水素原子、アルキル基またはアシル基であり、Ｒcは水素原子またはアルキル基であり、ｄは０〜３の整数である）である場合を除く］で表されるアニリン誘導体またはその塩。
【請求項１１】
ＡがＣＯである請求項１０のアニリン誘導体またはその塩。
【請求項１２】
ＡがＣＯであり、Ｒ5'が置換されてもよいピリジル基である請求項１０のアニリン誘導体またはその塩。
【請求項１３】
ＡがＣＯであり、Ｒ5'がハロアルキル基で置換されたピリジル基（そしてそのピリジル基は、ハロゲン原子、水酸基、メルカプト基、置換可アルキル基、置換可アルケニル基、置換可アルキニル基、置換可アルコキシ基、置換可アルキルチオ基、置換可アルケニルオキシ基、置換可アルケニルチオ基、置換可アルキニルオキシ基、置換可アルキニルチオ基、置換可シクロアルキル基、置換可シクロアルケニル基、置換可シクロアルコキシ基、置換可シクロアルキルチオ基、置換可シクロアルケニルオキシ基、置換可シクロアルケニルチオ基、置換可アルコキシカルボニル基、置換可アルキルカルボニル基、置換可アルキルカルボニルオキシ基、置換可アルケニルオキシカルボニル基、置換可アルケニルカルボニル基、置換可アルケニルカルボニルオキシ基、置換可アルキニルオキシカルボニル基、置換可アルキニルカルボニル基、置換可アルキニルカルボニルオキシ基、置換可シクロアルコキシカルボニル基、置換可シクロアルキルカルボニル基、置換可シクロアルキルカルボニルオキシ基、置換可シクロアルケニルオキシカルボニル基、置換可シクロアルケニルカルボニル基、置換可シクロアルケニルカルボニルオキシ基、置換可アリール基、置換可アリールオキシ基、置換可アリールチオ基、置換可アリールオキシカルボニル基、置換可アリールカルボニル基、置換可アリールカルボニルオキシ基、置換可複素環基、置換可複素環オキシ基、置換可複素環チオ基、置換可複素環オキシカルボニル基、置換可複素環カルボニル基、置換可複素環カルボニルオキシ基、置換可アミノ基、シアノ基、ニトロ基、カルボキシル基、置換可アミノカルボニル基、置換可アルキルスルホニル基、置換可アルケニルスルホニル基、置換可アルキニルスルホニル基、置換可シクロアルキルスルホニル基、置換可シクロアルケニルスルホニル基、置換可アリールスルホニル基、置換可複素環スルホニル基および置換可アミノスルホニル基からなる群より選ばれた少なくとも１つの置換基によって置換されてもよい）である請求項１０のアニリン誘導体またはその塩。
【請求項１４】
ＡがＣＯであり、Ｒ5'が３−クロロ−５-トリフルオロメチル−２−ピリジル基である請求項１０のアニリン誘導体またはその塩。
【請求項１５】
ＡがＣＯであり、Ｒ5'が置換されてもよいアダマンチル基である請求項１０のアニリン誘導体またはその塩。
【請求項１６】
ＡがＣＯであり；Ｈａｌがフッ素原子、臭素原子または沃素原子であり；Ｒ5'が置換されてもよいアダマンチル基である請求項１０のアニリン誘導体またはその塩。
【請求項１７】
ＡがＳＯ2である請求項１０のアニリン誘導体またはその塩。
【請求項１８】
請求項１０に記載された式（Ｉ’）の化合物またはその塩の製造方法であって、式（II）：
【化３】
2002249473.tif 000003
[式中、Ａ、Ｒ1、Ｈａｌおよびｘ'は前記請求項１０の定義通りであり、Ｌは脱離基である]で表される化合物と、
式（III）：
【化４】
2002249473.tif 000004
[式中、Ｃｙ’、Ｒ2、Ｒ4、Ｒ5'、Ｍおよびｙは前記請求項１０の定義通りである]で表される化合物とを反応させることにより、前記式（Ｉ’）のアニリン誘導体またはその塩を製造する方法。